(57)【要約】      （修正有）【課題】補助ロック装置のシリンダー錠の取付けや交換作業を容易に行うことが可能な自動販売機を得る。【解決手段】前面が開口した庫内に商品を収納した本体キャビネット、この本体キャビネットの前面開口を開閉する外扉２０、この外扉２０を本体キャビネットにロックする主ロック装置、この主ロック装置に並べて配した補助ロック装置を備え、補助ロック装置が主ロック装置とともに外扉２０を二重にロックして防犯性を高めたもの、或いは高い防犯性は求められないものの二重ロック方式を採用しているように見せ掛けるために補助ロック装置をダミーとして備えている自動販売機であって、前記補助ロック装置のシリンダー錠２００の取付けを、シリンダー錠２００における外筒に嵌合するストッパー２０３により行うように構成し、当該ストッパー２０３を着脱することによって補助ロック装置のシリンダー錠２００の取付けや取外しを行えるようにする。【選択図】図２
2007309054.tif 000002
【特許請求の範囲】
【請求項１】
本体キャビネットの前面開口を開閉する外扉を有し、前記外扉の前面に主ロック装置に並べて補助ロック装置を配した自動販売機において、
前記外扉の前面から挿入され、該外扉の背面に突出した補助ロック装置のシリンダー錠の外筒に係合段差部を設けるとともに、当該係合段差部に嵌合してシリンダー錠を外扉に固着するストッパーを設けたことを特徴とする自動販売機。
【請求項２】
請求項１に記載の自動販売機において、ストッパーは二股状係合部を有し、当該二股状係合部をシリンダー錠の係合段差部に嵌め込むことを特徴とする自動販売機。
【請求項３】
請求項２に記載の自動販売機において、ストッパーの二股状係合部は湾曲して形成されていることを特徴とする自動販売機。
【発明の詳細な説明】
【技術分野】
【０００１】
この発明は、庫内に飲料や食料などの商品を内蔵し、購入者が代金を投入して希望する商品を選択すると庫内に内蔵した商品を販売する自動販売機にかかり、特に、自動販売機の本体キャビネットの前面に開閉自在に配された外扉をロックする主ロック装置に並べて補助ロック装置を配した自動販売機に関する。
【背景技術】
【０００２】
飲料自動販売機として一般的な缶飲料，ペットボトルなどの商品を販売する自動販売機の構成を図３に示す。図３は缶，ペットボトルなどの商品を販売する自動販売機の正面図であり、図において、１０は断熱材で囲まれた庫内に缶飲料などの商品を格納した本体キャビネットであり、本体キャビネット１０の庫内には、断熱仕切壁により左右方向に複数の商品収納室に区分され、各商品収納室は、缶飲料、瓶飲料、ペットボトルなどの商品を収納するとともにその下端に、選択ボタンの操作により商品を搬出する商品払出機構を有する商品ラックが収設され、また、各商品収納室の下部には、当該各商品収納室を冷却もしくは加熱して商品ラックに収納した商品を冷蔵・温蔵状態に保存する冷却／加熱ユニットが配設されている。２０は本体キャビネット１０の前面にヒンジ２０ａにより開閉自在に装着された外扉である。この外扉２０の前面の上部域は透明板４０で覆われたディスプレイ室５０として形成されている。このディスプレイ室５０には本体キャビネット１０の庫内に収納した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０aを有している。
【０００３】
前記外扉２０の前面には操作パネルＰが設けられ、この操作パネルＰには硬貨投入口２１、紙幣投入口２２、釣銭返却口２３、商品取出口２４、返却レバー２５、シリンダー錠付きの主ロック装置１およびシリンダー錠付きの補助ロック装置２が組付けられている。前記本体キャビネット１０の前面を閉塞するように外扉２０を閉じた状態において主ロック装置１および補助ロック装置２を施錠することにより外扉２０が閉位置から開かないようにロックされる。このように主ロック装置１とは別に補助ロック装置２を設けて外扉２０を二重にロックすることによって防盗性を高めている（例えば、特許文献１）。
【０００４】
次に主ロック装置１と補助ロック装置２からなる扉ロック装置について図４を用いて説明する。図４は扉ロック装置を示し、（ａ）はその要部側面図、（ｂ）は要部正面図である。扉ロック装置は本体キャビネット１０の上下２箇所ないし上中下の３箇所に設けられ、その開口端から前方に突き出すように取付けられたフック状のロック受金１１と、外扉２０の背面側に装着して前記ロック受金１１に係脱するように上下方向へスライド可能に案内支持されたチャンネル形のロックバー（掛け金）１２と、外扉２０の前面に設けたシリンダー錠付きの主ロック装置１と、この主ロック装置１に並べて外扉１の前面に配したシリンダー錠付きの補助ロック装置２とにより構成されている。前記主ロック装置１は外扉１の前面に設けたハンドル１ａと、このハンドル１ａの後端に連結して前記ロックバー１２に連繋させた操作レバー１ｂとからなり、シリンダー錠付きの補助ロック装置２はシリンダー錠の後端に取付けたカム２ａと、このカム２ａに連動して横方向（前後方向）にスライド移動する閂２ｂとからなる。なお、ロックバー１２には前記ロック受金１１、カム１ａおよび閂２ｂに対応して角穴１２ａ，１２ｂ，１２ｃが開口している。
【０００５】
前記外扉２０を閉位置にロックするため外扉２０を閉じると図４に示すようにロックバー１２が下降し、その角穴１２ａがロック受金１１に係合する。この状態でハンドル１ａに設けたシリンダー錠をキー１３により施錠すると操作レバー１ｂがロックバー１２をこの位置から上方に移動できないように鎖錠して主ロック装置１により外扉２０をロックする。このように主ロック装置１で外扉２０を閉位置にロックした状態で、さらにシリンダー錠付き補助ロック装置２にキー１４を差し込んで施錠すると、補助ロック装置２は閂２ｂがロックバー１２の側面に開口した角穴１２ｃに嵌入してロックバー１２に係合する。これにより主ロック装置１とともに補助ロック装置２により外扉２０を二重にロックする。この扉ロック状態から外扉２０を開く場合は、主ロック装置１のハンドル１ａの解錠に先立って補助ロック装置２のシリンダー錠をキー１４により解錠して閂２ｂをロックバー１２から引き抜く。次いで、ハンドル１ａに設けたシリンダー錠にキー１３を差し込んで解錠した上でハンドル１ａを時計方向に回すと、操作レバー１ｂを介してロックバー１２が上方に引き上げられる。これにより、ロック受金１１とロックバー１２との係合が外れて外扉２０を開くことができるようになる。
【０００６】
【特許文献１】特開２００３−７４２４０号公報（図４）
【発明の開示】
【発明が解決しようとする課題】
【０００７】
ところで、前述した補助ロック装置２はナットにより外扉２０に固着されるように構成されており、補助ロック装置２の取付けや交換作業が面倒である。これを補助ロック装置２の組立図を示す図５および補助ロック装置２の分解斜視図である図６を用いて説明する。
図５および図６において、１５は閂２ｂを保持する取付金具であり、１６は外扉２０の背面に固着された固定枠である。前記取付金具１５は断面コ字状に折り曲げられ、その両脚片から切り起した固定片１５１，１５１を固定枠１６から切り起した固定部材１６１，１６１に螺子Ｓ１，Ｓ２により固定することにより外扉２０に固着されている。図６から理解できるように補助ロック装置２のシリンダー錠２Ａの外筒には鍔部２Ａ１および断面楕円形状の雄螺子部２Ａ２が形成され、この外筒から突出する内筒の先端には断面小判型の雄螺子部２Ａ３が形成されている。このシリンダー錠２Ａは外扉２０の前面から取付金具１４の楕円状の穴１５２に挿入され（外扉２０にも穴１５２に対応する穴が形成されている）、当該穴１５２から背面に突出した雄螺子部２Ａ２にワッシャーＷ１を介してナットＮ１を螺合させて締め付けることにより固着されている。このように固着されたシリンダー錠２Ａの雄螺子部２Ａ３にはカム２ｂがワッシャーＷ２を介してナットＮ２により固着されている。
【０００８】
前記閂２ｂは取付金具１５の脚片に形成したガイド溝１５３に挿入されるガイド突起２ｂ１と、前記カム２ｂに係合する係合突起２ｂ２を有し、前記係合突起２ｂ２にはコイルばね１８の一端が係止されている。前記コイルばね１８は閂２ｂを、図４に示したロックバー１２に向けて付勢するように他端が取付金具１５に係止されている。図５の組立状態は補助ロック装置２がキー１４（図４参照）により施錠された状態を示し、この状態では閂２ｂのガイド突起２ｂ１が取付金具１５のカイド溝１５３の左端に当接するまでスライドしており、閂２ｂが図４に示すロックバー１２に係合している。この状態からキー１４により補助ロック装置２を解錠してシリンダー錠２Ａを反時計方向に回動させると、シリンダー錠２Ａの内筒に結合されたカム１７が半時計方向に回動し、これにより閂２ｂが右方向にスライドして図４に示すロックバー１２との係合が解除される。
【０００９】
前述したように従来の補助ロック装置２のシリンダー錠２ＡはナットＮ１により外扉２０に固着されている。ここで、前記ナットＮ１が螺合するシリンダー錠２Ａの雄螺子部２Ａ２は取付金具１５により囲まれた位置に配されていることからナットＮ１も取付金具１５により囲まれた位置に配される。このため、ナットＮ１をシリンダー錠２Ａに螺合させて締め付けるのに特殊な工具（例えば、先端に六角ナットＮ１に対応する大きさの六角形状の係合穴を有するレンチ）を必要とする。このため、シリンダー錠２Ａの取付けのみならず、シリンダー錠２Ａの交換の際に多大の手間と時間を必要とする課題を有する。
本発明は上記の点に鑑みなされたものであり、その目的は前記課題を解決し、補助ロック装置のシリンダー錠の取付けや交換作業を容易に行うことが可能な自動販売機を提供することにある。
【課題を解決するための手段】
【００１０】
上記目的を達成するために本発明によれば、本体キャビネットの前面開口を開閉する外扉を有し、前記外扉の前面に主ロック装置に並べて補助ロック装置を配した自動販売機において、前記外扉の前面から挿入され、該外扉の背面に突出した補助ロック装置のシリンダー錠の外筒に係合段差部を設けるとともに、当該係合段差部に嵌合してシリンダー錠を外扉に固着するストッパーを設けたことを特徴とする（請求項１）。
【００１１】
また、本発明によれば、ストッパーは二股状係合部を有し、当該二股状係合部をシリンダー錠の係合段差部に嵌め込むように構成することができ（請求項２）、さらに、ストッパーの二股状係合部は湾曲して形成するのが好適である（請求項３）。
【発明の効果】
【００１２】
前述したように構成された請求項１にかかる発明によれば、外扉の前面から挿入された補助ロック装置のシリンダー錠に対してストッパーを、該外扉の背面に突出したシリンダー錠の外筒に形成した係合段差部に嵌合させることによりシリンダー錠を外扉に固着することができ、また、補助ロック装置のシリンダー錠の交換作業もシリンダー錠の外筒に形成した係合段差部に嵌合したストッパーを取外すのみでシリンダー錠を交換することができるので補助ロック装置のシリンダー錠の外扉への取付作業や交換作業を簡単に短時間に行うことができる。
【００１３】
また、請求項２にかかる発明によれば、補助ロック装置のシリンダー錠の外扉への取付作業や交換作業の際、ストッパーの二股状係合部をシリンダー錠の係合段差部に嵌め込むように、または二股状係合部が係合段差部から抜け出すようにストッパーをスライドさせることのみによってストッパーを着脱することが可能であり、シリンダー錠の取付けや交換の作業性を向上することができる。
【００１４】
さらに、請求項３にかかる発明によれば、湾曲した二股状係合部の復元力を利用してシリンダー錠を外扉にガタなく取付けることができる。
【発明を実施するための最良の形態】
【００１５】
以下、本発明の実施の形態を図１，図２に示す実施例に基づいて説明する。図１は補助ロック装置の分解斜視図分解斜視図、図２は補助ロック装置の分解斜視図である。なお、実施例の図中で図５，図６に対応する部材には同じ符号を付してその説明は省略する。また、図１，図２においては図５，図６に示した閂２ｂを省略している。
図１，図２において、２００は補助ロック装置２のシリンダー錠を示し、このシリンダー２００の外筒には鍔部２００ａ，六角柱部２００ｂ，円筒部２００ｃが形成され、この外筒の内部に当該外筒から後方に突出する内筒２００ｄが配されている。前記六角柱部２００ｂがシリンダー錠２００の係合段差部を構成する。なお、鍔部２００ａの径は円筒部２００ｃの径よりも大きく形成されている。２０１は外扉２０の背面にねじＳ１，Ｓ２より固着される補助ロック装置２の取付金具であり、この取付金具２０１にはシリンダー錠２００を保護する箱形の保護枠２０２が溶接により固着されている。この保護枠２０２は下面が開放し、背面に円筒部２００ｃが貫通する穴２０２ａが穿孔されている。２０３は断面略Ｌ字状のストッパーであり、一方の脚片にシリンダー錠２００の六角柱部２００ｂに係合する二股状係合部２０３ａを有する。２０４は前記保護枠２０２の背面にねじＳ３〜Ｓ５により固着される断面略コ字状のスイッチ取付枠であり、一方の脚片を切り起こしてスイッチ固定片２０４ａが形成され、このスイッチ取付片２０４ａに押釦スイッチＳＷが固定される。２０５は断面コ字状のカムであり、一方の脚片にはシリンダー錠２００の内筒２００ｄとこの内筒２００ｄに固着された一対の爪２００ｅ，２００ｅが嵌め込まれる長孔２０５ａを有し、他方の脚片がスイッチ取付枠２０４に軸２０６により軸支される。前記カム２０５は軸２０６を中心に回動（図では反時計方向）することにより押釦スイッチＳＷの操作片ＳＷ１を押圧して押釦スイッチＳＷを動作させものである。また、カム２０５には不図示の閂２ｂ（図５，図６参照）が係合され、カム２０５の回動により閂２ｂがスライドするように構成されている。なお、２１０はシリンダー錠２００を囲繞する固定枠である。
【００１６】
前記取付金具２０１には保護枠２０２が溶接により固着され、カム２０５を軸支したスイッチ取付枠２０４を前記保護枠２０２にねじＳ３〜Ｓ５により取付けて補助ロック装置アセンブリーとして予め組立てられる。この補助ロック装置アセンブリーは、図２に示すように、外扉２０の背面に固着された固定枠２１０から切り起した固定片２１１，２１１に取付金具２０１をねじＳ１，Ｓ２により固着することにより取付けられる。ここで、取付金具２０１には補助ロック装置２のシリンダー錠２００が貫通する取付孔（図では保護枠２０２で隠れて見えない）が形成され、同様に外扉２０にもシリンダー錠２００が貫通する固定穴が形成されている。なお、外扉２０の固定穴はシリンダー錠２００の鍔部２００ａよりも小さく、円筒部２００ｃよりも大きく形成されている。外扉２０の背面に補助ロック装置アセンブリーを固定した後、外扉２０の前面からシリンダー錠２００を挿入する。このとき、保護枠２０２の穴２０２ａから突出するシリンダー２００の内筒２００ｄに固着された一対の爪２００ｅ，２００ｅをスイッチ取付枠２０４に軸支されたカム２０５の長孔２０５ａに嵌合させる。この後、前記保護枠２０２の開放した下方からストッパー２０３の一方の脚片を、当該脚片に形成された二股状係合部２０３ａがシリンダー２００の六角柱部２００ｂに嵌り込むようにスライドさせる。そして、前記二股状係合部２０３ａをシリンダー２００の六角柱部２００ｂに嵌め込んだ状態でストッパー２０３をねじＳ６により取付金具２０１に固定することによりシリンダー錠２００の鍔部２００ａが外扉２０の前面に当接してシリンダー錠２００が固着される。最後にスイッチ取付枠２０５のスイッチ取付片２０４ａに押釦スイッチＳＷをナットにより固着して補助ロック装置２の組付けが完了する。なお、押釦スイッチＳＷは補助ロック装置２の解錠を検出して解錠信号を送出するものである。
【００１７】
前述したように補助ロック装置２のシリンダー錠２００の取付けは、外扉２０の前面からシリンダー錠２００を挿入した後、保護枠２０２の開放した下方からストッパー２０３を、当該ストッパー２０３の一方の脚片に形成された二股状係合部２０３ａがシリンダー２００の六角柱部２００ｂに嵌り込むようにスライドさせることにより行われる。そして、ストッパー２０３の一方の脚片に形成された二股状係合部２０３ａをシリンダー２００の六角柱部２００ｂに嵌め込んだ状態でストッパー２０３をねじＳ６により取付金具２０１に固定することによりシリンダー錠２００の取付けが完了する。ここで、ねじＳ６の締め付けは一般的な工具（プラスドライバー）により行うことができ、補助ロック装置２のシリンダー錠２００の取付けを特殊な工具を用いることなく取付けることが可能となる。
【００１８】
また、補助ロック装置２を交換する場合には、外扉２０を開放した後、ストッパー２０３を固定したねじＳ６をドライバーで緩めて取外すとともにストッパー２０３を下方に向けてスライドさせる。これによりストッパー２０３の二股状係合部２０３ａがシリンダー２００の六角柱部２００ｂから離脱するので、外扉２０の前面からシリンダー錠２００を引き抜くことによりシリンダー錠２００を取外すことができる。そして、新たなシリンダー錠２００を前述した取付け方法により外扉２０に取付ける。このように補助ロック装置２のシリンダー錠２００の交換作業も一般的な工具（ドライバー）により行うことができる。
【００１９】
図１，図２に示した実施の形態においては、ストッパー２０３の二股状係合部２０３ａが平板状であるものについて説明したが、この場合には寸法誤差によってシリンダー錠２００にガタが発生するおそれがある。この寸法誤差を吸収するためにストッパー２０３の二股状係合部２０３ａが形成された脚片を弓状に湾曲させるのがよい。このようにストッパー２０３の二股状係合部２０３ａが湾曲している場合には、ストッパー２０３をねじＳ６で締付けることによりシリンダー錠２００の円筒部２００ｃの側面に当接することになる。この際、二股状係合部２０３ａが形成されたストッパー２０３の脚片の復元力により寸法誤差が吸収され、シリンダー錠２００をガタなく取付けることができる。
【００２０】
前述した実施の形態では補助ロック装置２が主ロック装置１とともに外扉２０を二重にロックすることから高い防盗性が確保できるが、このような高い防盗性を必要としない場合や恰も二重ロック方式を採用しているように見せ掛けるためにダミーの補助ロック装置２を設けることもある。この場合には図１，図２では図示を省略した閂２ｂが取外されるとともに押釦スイッチＳＷも不要となる。このため、本発明は補助ロック装置２が主ロック装置１とともに外扉２０を二重にロックするものに限定されることなく、補助ロック装置２がダミーとして主ロック装置１と並べて外扉２０に配されたものも対象とするものである。
【００２１】
前述したようにこの発明の実施の形態によれば、本体キャビネットの前面開口を開閉する外扉２０を有し、前記外扉２０の前面に主ロック装置１に並べて補助ロック装置２を配した自動販売機において、前記外扉２０の前面から挿入され、該外扉２０の背面に突出した補助ロック装置２のシリンダー錠２００の外筒に係合段差部（六角柱部２００ｂ）を設けるとともに、当該係合段差部（六角柱部２００ｂ）に嵌合してシリンダー錠２００を外扉２０に固着するストッパー２０３を設けたことによって、ストッパー２０３を着脱するのみで補助ロック装置２のシリンダー錠２００の取付けや交換作業を行うことができる。
【００２２】
この場合、ストッパー２０３は二股状係合部２０３ａを有し、当該二股状係合部２０３ａをシリンダー錠２００の係合段差部（六角柱部２００ｂ）に嵌め込むように構成することによって、ストッパー２０３をスライドさせるのみで着脱することができるので作業性を向上でき、さらに、ストッパー２０３の二股状係合部２０３ａを弓状に湾曲して形成することによって、寸法誤差を吸収してシリンダー錠２００をガタなく取付けることができる。
【産業上の利用可能性】
【００２３】
この発明は清涼飲料の自動販売機に限らず、パン，弁当などの食品自動販売機やカップ式コーヒー自動販売機などに適用することができ、防犯性を高めるのに有用である。
【図面の簡単な説明】
【００２４】
【図１】本発明の実施の形態を示す補助ロック装置の組立図である。
【図２】図１における補助ロック装置の分解斜視図である。
【図３】本発明の実施対象となる自動販売機を示す正面図である。
【図４】図３における扉ロック装置を示し、（ａ）はその要部正面図、（ｂ）は（ａ）の側面図である。
【図５】図４の補助ロック装置の組立図である。
【図６】図５における補助ロック装置の分解斜視図である。
【符号の説明】
【００２５】
１    主ロック装置
２    補助ロック装置
１０    本体キャビネット
２０    外扉
２００    シリンダー錠
２００ｂ    六角柱部２００ｂ（係合段差部）
２０３    ストッパー
２０３ａ    二股状係合部
【図１】
2007309054.tif 000003
【図２】
2007309054.tif 000004
【図３】
2007309054.tif 000005
【図４】
2007309054.tif 000006
【図５】
2007309054.tif 000007
【図６】
2007309054.tif 000008